(57)【要約】      （修正有）【課題】制度の不明や管理上の不便を起こさない予約注文のシステム及び方法を提出する。【解決手段】本発明の予約注文のシステム１００は、複数の同種の商品の予約注文情報及び寄贈対象のユーザコードを受信し、結算作業が完成された後で、それに基づいて販売記録兌換請求を発生させる端末装置１１０と、端末装置から販売記録兌換請求を受信して、それに基づいて逐次兌換情報を生じ、寄贈対象がこれらの同種の商品を逐次で兌換する証拠とするサーバと、を備える。【選択図】図１
2019153209.tif 000002
【特許請求の範囲】
【請求項１】
複数の同種の商品の予約注文情報及び寄贈対象のユーザコードを受信し、結算作業が完成された後で、それに基づいて販売記録兌換請求を発生させる端末装置と、
前記端末装置から前記販売記録兌換請求を受信して、それに基づいて逐次兌換情報を生じ、前記寄贈対象が前記同種の商品を逐次で兌換する証拠とするサーバと、
を備える予約注文のシステム。
【請求項２】
前記端末装置はＰＯＳレジスタ及び店舖ホストを含み、前記ＰＯＳレジスタが前記同種の商品の前記予約注文情報及び前記寄贈対象の前記ユーザコードの入力を受信して、前記結算作業を完成した後で、兌換券をプリントし、前記店舖ホストが前記兌換券に基づいて前記販売記録兌換請求を前記サーバに発送するようにする請求項１に記載のシステム。
【請求項３】
前記端末装置はＰＯＳレジスタ、店舖ホスト及びマルチメディア設備を含み、前記マルチメディア設備は、会員アカウントがログインされた後で、前記同種の商品の前記予約注文情報及び前記寄贈対象の前記ユーザコードの入力を受信して、納付書をプリントし、前記ＰＯＳレジスタが前記納付書を読み取って前記結算作業を完成した後で、前記店舖ホストが前記納付書に基づいて前記販売記録兌換請求を前記サーバに発送するようにし、前記サーバが前記逐次兌換情報に基づいて消息発送プラットフォームを介して前記寄贈対象の前記ユーザコードに通知する請求項１に記載のシステム。
【請求項４】
前記端末装置はモバイル装置を含み、前記モバイル装置がアプリケーションプログラムを実行して会員アカウントをログインし、前記同種の商品の前記予約注文情報及び前記寄贈対象の前記ユーザコードの入力を受信して、支払システムによって前記結算作業を完成した後で、それに基づいて前記販売記録兌換請求を発生して前記サーバに発送する請求項１に記載のシステム。
【請求項５】
前記端末装置はＰＯＳレジスタ、店舖ホスト及びモバイル装置を含み、前記モバイル装置がアプリケーションプログラムを実行して会員アカウントをログインし、前記同種の商品の前記予約注文情報及び前記寄贈対象の前記ユーザコードの入力を受信して、納付コードを表示し、前記ＰＯＳレジスタが前記納付コードを読み取って前記結算作業を完成した後で、前記店舖ホストが前記兌換コードに基づいて前記販売記録兌換請求を前記サーバに発送するようにする請求項１に記載のシステム。
【請求項６】
端末装置によって複数の同種の商品の予約注文情報及び寄贈対象のユーザコードを受信し、結算作業が完成された後で、それに基づいて販売記録兌換請求を発生させる工程（Ａ）と、
サーバによって前記端末装置から前記販売記録兌換請求を受信して、それに基づいて逐次兌換情報を生じ、前記寄贈対象が前記同種の商品を逐次で兌換する証拠とする工程（Ｂ）と、
を備える予約注文の方法。
【請求項７】
前記端末装置はＰＯＳレジスタ及び店舖ホストを含み、工程（Ａ）は、前記ＰＯＳレジスタが前記同種の商品の前記予約注文情報及び前記寄贈対象の前記ユーザコードの入力を受信して、前記結算作業を完成した後で、兌換券をプリントし、前記店舖ホストが前記兌換券に基づいて前記販売記録兌換請求を前記サーバに発送するようにすることを含む請求項６に記載の方法。
【請求項８】
前記端末装置はＰＯＳレジスタ、店舖ホスト及びマルチメディア設備を含み、工程（Ａ）は、前記マルチメディア設備は、会員アカウントがログインされた後で、前記同種の商品の前記予約注文情報及び前記寄贈対象の前記ユーザコードの入力を受信して、納付書をプリントし、前記ＰＯＳレジスタが前記納付書を読み取って前記結算作業を完成した後で、前記店舖ホストが前記納付書に基づいて前記販売記録兌換請求を前記サーバに発送するようにすることを含み、工程（Ｂ）は、前記サーバが前記逐次兌換情報に基づいて消息発送プラットフォームを介して前記寄贈対象の前記ユーザコードに通知することを含む請求項６に記載の方法。
【請求項９】
前記端末装置はモバイル装置を含み、工程（Ａ）は、前記モバイル装置がアプリケーションプログラムを実行して会員アカウントをログインし、前記同種の商品の前記予約注文情報及び前記寄贈対象の前記ユーザコードの入力を受信して、インターネットによって前記結算作業を完成した後で、それに基づいて前記販売記録兌換請求を発生して前記サーバに発送することを含む請求項６に記載の方法。
【請求項１０】
前記端末装置はＰＯＳレジスタ、店舖ホスト及びモバイル装置を含み、工程（Ａ）は、前記モバイル装置がアプリケーションプログラムを実行して会員アカウントをログインし、前記同種の商品の前記予約注文情報及び前記寄贈対象の前記ユーザコードの入力を受信して、納付コードを表示し、前記ＰＯＳレジスタが前記納付コードを読み取って前記結算作業を完成した後で、前記店舖ホストが前記納付コードに基づいて前記販売記録兌換請求を前記サーバに発送するようにする請求項６に記載の方法。
【発明の詳細な説明】
【技術分野】
【０００１】
本発明は、情報技術に関し、特に、予約注文のシステム及び方法に関する。
【背景技術】
【０００２】
数多くの消費者は、定期又は非定期的に同種の商品を購入する。コーヒーを例として、コーヒーをよく飲む人が数多くいる。商店が常に大量な購入に対して割引を与えるが、普通の消費者は、毎回飲む数に限りがあるので、なかなか享受できない。
【０００３】
これに鑑みて、チェーンストアは、販売を促進するために、何れも消費者にカップ預かりの割引サービスを提供し、消費者がいつでストアへカップ預かりのコーヒーを兌換できるようにする。しかしながら、カップ預かりの兌換明細書が一般的に手書きのものであるので、カップ預かり制度の不明や管理上の不便利を起こすことがよくある。
【発明の概要】
【発明が解決しようとする課題】
【０００４】
本発明は、先行技術の問題を解決するために、予約注文のシステム及び方法を提出する。
【課題を解決するための手段】
【０００５】
本発明の一実施例において、本発明は、複数の同種の商品の予約注文情報及び寄贈対象のユーザコードを受信し、結算作業が完成された後で、それに基づいて販売記録兌換請求を発生させる端末装置と、端末装置から販売記録兌換請求を受信して、それに基づいて逐次兌換情報を生じ、寄贈対象がこれらの同種の商品を逐次で兌換する証拠とするサーバと、を備えるシステムを提出する。
【０００６】
本発明の一実施例において、端末装置は、ＰＯＳレジスタ及び店舖ホストを含み、ＰＯＳレジスタがこれらの同種の商品の予約注文情報及び寄贈対象のユーザコードの入力を受信し、結算作業が完成された後で、兌換券をプリントし、店舖ホストが兌換券に基づいて販売記録兌換請求をサーバに発送するようにする。
【０００７】
本発明の一実施例において、端末装置はＰＯＳレジスタ、店舖ホスト及びマルチメディア設備を含み、マルチメディア設備は、会員アカウントがログインされた後で、これらの同種の商品の予約注文情報及び寄贈対象のユーザコードの入力を受信し、納付書をプリントし、ＰＯＳレジスタが納付書を読み取って結算作業を完成した後で、店舖ホストが納付書に基づいて販売記録兌換請求をサーバに発送するようにし、サーバが逐次兌換情報に基づいて消息発送プラットフォームを介して寄贈対象のユーザコードに通知するようにする。
【０００８】
本発明の一実施例において、端末装置はモバイル装置を含み、モバイル装置がアプリケーションプログラムを実行して会員アカウントをログインして、これらの同種の商品の予約注文情報及び寄贈対象のユーザコードの入力を受信し、支払システムによって結算作業を完成した後で、販売記録兌換請求を発生してサーバに発送する。
【０００９】
本発明の一実施例において、端末装置はＰＯＳレジスタ、店舖ホスト及びモバイル装置を含み、モバイル装置がアプリケーションプログラムを実行して会員アカウントをログインして、これらの同種の商品の予約注文情報及び寄贈対象のユーザコードの入力を受信し、納付コードを表示し、ＰＯＳレジスタが納付書コードを読み取って結算作業を完成した後で、店舖ホストが兌換コードに基づいて販売記録兌換請求をサーバに発送するようにする。
【００１０】
本発明の一実施例において、本発明は、端末装置によって複数の同種の商品の予約注文情報及び寄贈対象のユーザコードを受信し、結算作業が完成された後で、それに基づいて販売記録兌換請求を発生させる工程（Ａ）と、サーバによって端末装置から販売記録兌換請求を受信して、それに基づいて逐次兌換情報を生じ、寄贈対象がこれらの同種の商品を逐次で兌換する証拠とする工程（Ｂ）と、を備える方法を提出する。
【００１１】
本発明の一実施例において、端末装置は、ＰＯＳレジスタ及び店舖ホストを含み、工程（Ａ）は、ＰＯＳレジスタがこれらの同種の商品の予約注文情報及び寄贈対象のユーザコードの入力を受信し、結算作業が完成された後で、兌換券をプリントし、店舖ホストが兌換券に基づいて販売記録兌換請求をサーバに発送するようにすることを含む。
【００１２】
本発明の一実施例において、端末装置はＰＯＳレジスタ、店舖ホスト及びマルチメディア設備を含み、工程（Ａ）は、マルチメディア設備は、会員アカウントがログインされた後で、これらの同種の商品の予約注文情報及び寄贈対象のユーザコードの入力を受信し、納付書をプリントし、ＰＯＳレジスタが納付書を読み取って結算作業を完成したた後で、店舖ホストが納付書に基づいて販売記録兌換請求をサーバに発送するようにすることを含み、工程（Ｂ）は、サーバが逐次兌換情報に基づいて消息発送プラットフォームを介して寄贈対象のユーザコードに通知するようにすることを含む。
【００１３】
本発明の一実施例において、端末装置はモバイル装置を含み、工程（Ａ）は、モバイル装置がアプリケーションプログラムを実行して会員アカウントをログインして、これらの同種の商品の予約注文情報及び寄贈対象のユーザコードの入力を受信し、インターネットによって結算作業を完成した後で、販売記録兌換請求を発生してサーバに発送することを含む。
【００１４】
本発明の一実施例において、端末装置はＰＯＳレジスタ、店舖ホスト及びモバイル装置を含み、工程（Ａ）は、モバイル装置がアプリケーションプログラムを実行して会員アカウントをログインして、これらの同種の商品の予約注文情報及び寄贈対象のユーザコードの入力を受信し、納付コードを表示し、ＰＯＳレジスタが納付書コードを読み取って結算作業を完成した後で、店舖ホストが納付コードに基づいて販売記録兌換請求をサーバに発送するようにすることを含む。
【発明の効果】
【００１５】
以上をまとめると、本発明の技術案は、先行技術に比べると、明らかなメリットや有益な効果を有する。本発明によれば、手で書く必要がなく、手間を取らず、従来の手書きによる制度の不明や管理上の不便利の問題を解決し、使用者が一回で大量に購入し、何回も何時でも/共に享受して贈ることができるようにする。なお、本発明の技術を便利店に適応すると、１つの店で購入すると、全ての店で取ることができるという最高なユーザ体験を達成させることができる。
【００１６】
以下、実施形態によって上記の説明を更に詳しく述べて、本発明の技術案に対して更なる解釈を提供する。
【図面の簡単な説明】
【００１７】
下記の添付図面の詳細な説明は、本発明の上記又はその他の目的、特徴、利点及び実施例をより分りやすくするためのものである。
【図１】本発明の一実施例による予約注文のシステムのブロック図である。
【図２】本発明の一実施例による予約注文の方法のフロー図である。
【発明を実施するための形態】
【００１８】
本発明の記述をより詳しく完備化するために、添付図面及び下記の各種の実施例を参照されたい。図面における同じ番号は、同じ又は類似な素子を示す。一方、本発明を必要以上に制限しないように、周知の素子と工程は、実施例において説明されていない。
【００１９】
実施形態と特許請求の範囲において、「結合（ｃｏｕｐｌｅｄ  ｗｉｔｈ）」に関する記述は、ある素子が他の素子によって間接別の素子に接続され、又はある素子が他の素子をよらずに直接別の素子に接続されることを総括して指すことができる。
【００２０】
実施形態と特許請求の範囲において、正文で冠詞を特別に限定しない限り、「一」と「前記」は、一般的に、単一又は複数を指す。
【００２１】
本明細書に用いる「約」、「大体」又は「おおよそ」とは、僅かに変化可能な如何なる数を修飾することに用いるが、このような僅かな変化によりその本質が変わらない。この明細書で、明確に説明しない限り、一般的に、「約」、「大体」又は「おおよそ」で修飾される数値の誤差又は範囲が２０％以内であり、好ましくは１０％以内であり、より好ましくは５％以内である。
【００２２】
図１は、本発明の一実施例による予約注文のシステム１００のブロック図である。図１に示すように、システム１００は、端末装置１１０と、サーバ１２０と、を備える。構造上、端末装置１１０とサーバ１２０とは通信することができる。使用者が複数の同種の商品を寄贈対象に予約注文しようとする場合、端末装置１１０によって複数の同種の商品の予約注文情報及び寄贈対象のユーザコードを入力して、端末装置１１０に複数の同種の商品の予約注文情報及び寄贈対象のユーザコードを受信させて、結算作業が完成された後で、端末装置１１０がそれに基づいて販売記録兌換請求を発生させることができる。サーバ１２０が端末装置１１０から販売記録兌換請求を受信して、それに基づいて逐次兌換情報を生じ、寄贈対象がこれらの同種の商品を逐次で兌換する証拠とし、その寄贈対象は使用者本人又は他人であってもよい。
【００２３】
一実施例において、端末装置１１０は、互いに電気的に結合されるＰＯＳレジスタ１１１及び店舖ホスト１１２を含む。使用者が複数の同種の商品を寄贈対象に予約注文しようとする意図を店舖の店員に伝わると、店員は、ＰＯＳレジスタ１１１にこれらの同種の商品の予約注文情報及び寄贈対象のユーザコードを入力して、ＰＯＳレジスタ１１１にこれらの同種の商品の予約注文情報及び寄贈対象のユーザコードの入力を受信させ、ＰＯＳレジスタ１１１が結算作業を完成した後で、ＰＯＳレジスタ１１１が兌換券をプリントし、店舖ホスト１１２が兌換券に基づいて販売記録兌換請求をサーバ１２０に発送できるようにする。
【００２４】
使用者は、兌換券を自分で使用し又は他人に贈ってもよい。兌換券を持つ人は、当時のＰＯＳレジスタ１１１のプリントした兌換券によって店舖へ１つ又は複数の同種の商品を兌換することができる。その場合、店員は、ＰＯＳレジスタ１１１のコードスキャナーによって兌換券における兌換コードを読み取って、店舖ホスト１１２をサーバ１２０にリンクさせて逐次兌換情報を調べるようにすることができる。間違いなくと確認すると、サーバ１２０が逐次兌換情報から今回の兌換数を差し引いて、ＰＯＳレジスタ１１１に商品の兌換成功の関連報告が表示される。これにより、兌換券を持つ人は、全て兌換されるまで、兌換券を使用して商品を逐次に兌換することができる。
【００２５】
別の実施例において、端末装置１１０は、ＰＯＳレジスタ１１１と、店舖ホスト１１２と、マルチメディア設備１１３（例えば、ＦａｍｉＰｏｒｔ）と、を含む。店舖ホスト１１２は、ＰＯＳレジスタ１１１とマルチメディア設備１１３に電気的に結合される。使用者は、複数の同種の商品を寄贈対象に予約注文しようとする場合、マルチメディア設備１１３に会員アカウントをログインして、これらの同種の商品の予約注文情報及び寄贈対象のユーザコードを入力して、マルチメディア設備１１３に会員アカウントがログインされた後で、マルチメディア設備１１３がこれらの同種の商品の予約注文情報及び寄贈対象のユーザコードの入力を受信することで、マルチメディア設備１１３が納付書をプリントする。店員は、ＰＯＳレジスタ１１１によって納付書を読み取って（例えば、コードスキャナーによって納付書におけるコードを読み取る）結算作業が完成された後で、店舖ホスト１１２が納付書に基づいて販売記録兌換請求をサーバ１２０に発送し、サーバ１２０が逐次兌換情報に基づいて消息発送プラットフォーム１２１（例えば、メッセージ発送プラットフォーム）を介して寄贈対象のユーザコード（例えば、携帯電話の番号）に通知して、寄贈対象に消息発送プラットフォーム１２１の発した、兌換コード及び兌換可能な商品の品種及び数を含む報告を持たせることができる。
【００２６】
寄贈対象が商品を兌換しようとする場合、店舖へマルチメディア設備１１３に兌換コードを入力して、マルチメディア設備１１３が兌換券をプリントし、寄贈対象がマルチメディア設備１１３のプリントした兌換券によって店舖へ１つ又は複数の同種の商品を兌換することができる。その場合、店員は、ＰＯＳレジスタ１１１のコードスキャナーによって兌換券における兌換コードを読み取って、店舖ホスト１１２をサーバ１２０にリンクさせて逐次兌換情報を調べるようにすることができる。間違いなくと確認すると、サーバ１２０が逐次兌換情報から今回の兌換数を差し引いて、ＰＯＳレジスタ１１１に商品の兌換成功の関連報告が表示される。これにより、寄贈対象は、全て兌換されるまで、兌換券を使用して商品を逐次に兌換することができる。
【００２７】
また別の実施例において、端末装置１１０は、モバイル装置１１５（例えば、携帯電話、タブレットパソコン等）を含む。使用者は、複数の同種の商品を寄贈対象に予約注文しようとする場合、モバイル装置１１５を操作してアプリケーションプログラム（例えば、ＦａｍｉｌｙＭａｒｔ）を実行して会員アカウントをログインし、これらの同種の商品の予約注文情報及び寄贈対象のユーザコードを入力して、アプリケーションプログラムにこれらの同種の商品の予約注文情報及び寄贈対象のユーザコードの入力を受信させ、支払システム１５０（例えば、ネットバンク、第３者の支払プラットフォーム等）によって結算作業を完成した後で、販売記録兌換請求を発生してサーバ１２０に発送することができる。
【００２８】
使用者の会員アカウントと寄贈対象のユーザコードとが同一又は相応すると、使用者が商品を自分に寄贈することを表し、サーバ１２０が逐次兌換情報を会員アカウントに入れて、使用者がこれらの同種の商品を逐次で兌換する証拠とする。使用者が商品を兌換しようとする場合、モバイル装置１１５のアプリケーションプログラムを操作して兌換コードを現れることができる。店員は、ＰＯＳレジスタ１１１のコードスキャナーによってモバイル装置１１５に示す兌換コードを読み取って、店舖ホスト１１２をサーバ１２０にリンクさせて逐次兌換情報を調べるようにすることができる。間違いなくと確認すると、サーバ１２０が逐次兌換情報から今回の兌換数を差し引いて、ＰＯＳレジスタ１１１に商品の兌換成功の関連報告が表示される。これにより、モバイル装置１１５は、全て兌換されるまで、兌換コードを使用して商品を逐次に兌換することができる。一方、使用者は、アプリケーションプログラムによって全部又は一部の同種の商品の兌換権利を他の会員アカウントに贈ってもよい。
【００２９】
使用者の会員アカウントと寄贈対象のユーザコードとが同一ではなく又は相応しなく、且つユーザコードが他の会員アカウントである場合、使用者が商品を他の会員に寄贈することを表す。サーバ１２０が逐次兌換情報に基づいて消息発送プラットフォーム１２１（例えば、プッシュ通知システム）を介して寄贈された前記他の会員アカウントのログインしたアプリケーションプログラムに通知する。サーバ１２０は、逐次兌換情報を前記他の会員アカウントに入れて、前記他の会員がこれらの同種の商品を逐次で兌換する証拠とする。
【００３０】
使用者の会員アカウントと寄贈対象のユーザコードとが同一ではなく又は相応しなく、且つユーザコードが非会員の携帯電話の番号である場合、使用者が商品を非会員に寄贈することを表し、サーバ１２０が逐次兌換情報に基づいて消息発送プラットフォーム１２１（例えば、メッセージ発送プラットフォーム）を介して非会員の携帯電話の番号に通知し、非会員に消息発送プラットフォーム１２１の発した、兌換コード及び兌換可能な商品の品種及び数を含む報告を持たせる。非会員は、店舖へマルチメディア設備１１３に兌換コードを入力して兌換券を取得し、又は会員を登記して兌換コードを入力することで逐次兌換情報を入れることができる。
【００３１】
もう一つの実施例において、端末装置１１０は、ＰＯＳレジスタ１１１と、店舖ホスト１１２と、モバイル装置１１５と、を備える。使用者は、複数の同種の商品を寄贈対象に予約注文しようとする場合、モバイル装置１１５を操作してアプリケーションプログラム（例えば、ＦａｍｉｌｙＭａｒｔ）を実行して会員アカウントをログインし、これらの同種の商品の予約注文情報及び寄贈対象のユーザコードを入力して、アプリケーションプログラムにこれらの同種の商品の予約注文情報及び寄贈対象のユーザコードの入力を受信させ、モバイル装置１１５に納付コードを表示させることができる。使用者が結算しようとする場合、店員は、ＰＯＳレジスタ１１１で納付コードを読み取って、結算作業が完成された後で、店舖ホスト１１２が兌換コードに基づいて販売記録兌換請求をサーバ１２０に発送するようにすることができる。
【００３２】
一実施例において、商品の品種は飲み物であってよく、且つ使用者が自分でエコカップを用意する。店員は、ＰＯＳレジスタ１１１のコードスキャナーによってモバイル装置１１５に示す兌換コードを読み取って、且つＰＯＳレジスタ１１１によって「自分でエコカップを用意」のオプションを選用し、サーバ１２０がこの商品の予約注文販売の場合に統一な番号が入力されていない（つまり、予約注文の場合に法人の名義で購入されていない）と判断すると、使用者がその当時に結算しようとする他の非予約注文商品の消費がある場合、サーバ１２０は、ＰＯＳレジスタ１１１が直接当時の他の非予約注文商品の消費を帳消しにするようにする。それに対して、使用者がその当時に結算しようとする他の非予約注文商品の消費がない場合、サーバ１２０は、ＰＯＳレジスタ１１１が直接現金を払い戻すようにする。
【００３３】
一方、サーバ１２０がこの商品が予約注文販売の場合に既に統一な番号が入力される（つまり、予約注文の場合に法人の名義で購入する）と判断すると、使用者がその当時に結算しようとする他の非予約注文商品の消費がある場合、サーバ１２０は、ＰＯＳレジスタ１１１が当時の他の非予約注文商品の消費を帳消しにするようにする。それに対して、使用者がその当時に結算しようとする他の非予約注文商品の消費がない場合、サーバ１２０は、ＰＯＳレジスタ１１１が帳消し書をプリントするようにし、又は電子帳消し書を会員アカウントに送り、使用者が帳消し書によって非予約注文商品の消費を帳消しにすることができる。
【００３４】
一実施例において、使用者が返却しようとする場合、店員は、ＰＯＳレジスタ１１１のコードスキャナーによってモバイル装置１１５に示す兌換コードを読み取って、ＰＯＳレジスタ１１１によって「返却」のオプションを選用し、店舖ホスト１１２をサーバ１２０にリンクさせて兌換されていない商品の数を調べてそれによって返却金額を算出し、サーバ１２０が返却金額の情報を店舖ホスト１１２に伝え戻し、ＰＯＳレジスタ１１１が返却作業を実行する。
【００３５】
上記返却金額の算出方法に関しては、簡単に言うと、「返却」とは、優待価格を取り消し、原価に戻して算出し、消費者に差額を補充させることである。消費者が返却する場合、算出方法としては、購入したもの全体を引き返した後で、兌換された商品を元々の購入した金額で別にレシートを消費者に与えて残りの金額を戻す。
【００３６】
一実施例において、寄贈対象が会員アカウントをログインするアプリケーションプログラムを持たない場合、サーバ１２０は、寄贈対象に対して臨時会員アカウントを生じ、商品兌換情報をこの臨時会員アカウントに記憶し、この寄贈対象が会員アカウントに加えた（つまり、サーバ１２０が臨時会員アカウントを正式会員アカウントに転換した）後で、商品兌換情報を取得することができる。
【００３７】
理解すべきであるのは、本発明の技術をより分かりやすくするように、上記で異なる実施例によって別々に記述したが、本発明の技術態様を限定するものではない。上記複数の実施例を１つの技術案として整合し、又は１つの実施例を複数の技術案に分け、又は何れの実施例の一部の技術特徴を更に別の実施例で実行するものも、本発明の実施形態に属する。
【００３８】
上記システム１００の実行する予約注文の方法を更に述べるために、図２を参照されたい。図２は、本発明の一実施例による予約注文の方法２００のフロー図である。図２に示すように、方法２００は、工程Ｓ２０１、Ｓ２０２（理解すべきであるのは、本実施例に言及する工程が、特にその順序を説明しない限り、何れも実際な要求に応じてその前後の順序を調整し、更に同時又は部分的に同時実行してもよい）を備える。以下、図１、図２に合わせて本発明の技術案を説明する。
【００３９】
使用者が複数の同種の商品を寄贈対象に予約注文しようとする場合、端末装置１１０によって複数の同種の商品の予約注文情報及び寄贈対象のユーザコードを入力することができる。工程Ｓ２０１において、端末装置１１０が複数の同種の商品の予約注文情報及び寄贈対象のユーザコードを受信し、結算作業が完成された後で、端末装置１１０がそれに基づいて販売記録兌換請求を発生させる。
【００４０】
工程Ｓ２０２において、サーバ１２０が端末装置１１０から販売記録兌換請求を受信して、それに基づいて逐次兌換情報を生じ、寄贈対象がこれらの同種の商品を逐次で兌換する証拠とし、その寄贈対象は使用者本人又は他人であってもよい。
【００４１】
一実施例において、使用者が複数の同種の商品を寄贈対象に予約注文しようとする意図を店舖の店員に伝わると、店員は、ＰＯＳレジスタ１１１にこれらの同種の商品の予約注文情報及び寄贈対象のユーザコードを入力することができる。工程Ｓ２０１において、ＰＯＳレジスタ１１１がこれらの同種の商品の予約注文情報及び寄贈対象のユーザコードの入力を受信し、ＰＯＳレジスタ１１１が結算作業を完成した後で、ＰＯＳレジスタ１１１が兌換券をプリントし、店舖ホスト１１２が兌換券に基づいて販売記録兌換請求をサーバ１２０に発送できるようにする。
【００４２】
別の実施例において、使用者は、複数の同種の商品を寄贈対象に予約注文しようとする場合、マルチメディア設備１１３に会員アカウントをログインして、これらの同種の商品の予約注文情報及び寄贈対象のユーザコードを入力することができる。工程Ｓ２０１において、マルチメディア設備１１３は、会員アカウントがログインされた後で、これらの同種の商品の予約注文情報及び寄贈対象のユーザコードの入力を受信することで、納付書をプリントする。店員は、ＰＯＳレジスタ１１１によって納付書を読み取って（例えば、コードスキャナーによって納付書におけるコードを読み取る）結算作業が完成された後で、店舖ホスト１１２が納付書に基づいて販売記録兌換請求をサーバ１２０に発送することができる。工程Ｓ２０２において、サーバ１２０が逐次兌換情報に基づいて消息発送プラットフォーム１２１（例えば、メッセージ発送プラットフォーム）を介して寄贈対象のユーザコード（例えば、携帯電話の番号）に通知して、寄贈対象に消息発送プラットフォーム１２１の発した、兌換コード及び兌換可能な商品の品種及び数を含む報告を持たせることができる。
【００４３】
また別の実施例において、使用者は、複数の同種の商品を寄贈対象に予約注文しようとする場合、モバイル装置１１５を操作してアプリケーションプログラム（例えば、ＦａｍｉｌｙＭａｒｔ）を実行して会員アカウントをログインして、これらの同種の商品の予約注文情報及び寄贈対象のユーザコードを入力することができる。工程Ｓ２０１において、アプリケーションプログラムがこれらの同種の商品の予約注文情報及び寄贈対象のユーザコードの入力を受信し、支払システム１５０（例えば、ネットバンク、第３者の支払プラットフォーム等）によって結算作業を完成した後で、販売記録兌換請求を発生してサーバ１２０に発送することができる。
【００４４】
もう一つの実施例において、使用者は、複数の同種の商品を寄贈対象に予約注文しようとする場合、モバイル装置１１５を操作してアプリケーションプログラム（例えば、ＦａｍｉｌｙＭａｒｔ）を実行して会員アカウントをログインして、これらの同種の商品の予約注文情報及び寄贈対象のユーザコードを入力することができる。工程Ｓ２０１において、アプリケーションプログラムがこれらの同種の商品の予約注文情報及び寄贈対象のユーザコードの入力を受信し、モバイル装置１１５に納付コードを表示させることができる。使用者が結算しようとする場合、店員は、ＰＯＳレジスタ１１１で納付コードを読み取って、結算作業が完成された後で、店舖ホスト１１２が兌換コードに基づいて販売記録兌換請求をサーバ１２０に発送するようにすることができる。
【００４５】
兌換の点について、以下、３つの実施例によって記述する。
【００４６】
一実施例において、使用者の会員アカウントと寄贈対象のユーザコードとが同一又は相応すると、使用者が商品を自分に寄贈することを表す。工程Ｓ２０２において、サーバ１２０が逐次兌換情報を会員アカウントに入れて、使用者がこれらの同種の商品を逐次で兌換する証拠とする。使用者が商品を兌換しようとする場合、モバイル装置１１５のアプリケーションプログラムを操作して兌換コードを現れることができる。店員は、ＰＯＳレジスタ１１１のコードスキャナーによってモバイル装置１１５に示す兌換コードを読み取って、店舖ホスト１１２をサーバ１２０にリンクさせて逐次兌換情報を調べるようにすることができる。間違いなくと確認すると、サーバ１２０が逐次兌換情報から今回の兌換数を差し引いて、ＰＯＳレジスタ１１１に商品の兌換成功の関連報告が表示される。これにより、モバイル装置１１５は、全て兌換されるまで、兌換コードを使用して商品を逐次に兌換することができる。一方、使用者は、アプリケーションプログラムによって全部又は一部の同種の商品の兌換権利を他の会員アカウントに贈ってもよい。
【００４７】
別の実施例において、使用者の会員アカウントと寄贈対象のユーザコードとが同一ではなく又は相応しなく、且つユーザコードが他の会員アカウントである場合、使用者が商品を他の会員に寄贈することを表す。工程Ｓ２０２において、サーバ１２０が逐次兌換情報に基づいて消息発送プラットフォーム１２１（例えば、プッシュ通知システム）を介して寄贈された前記他の会員アカウントのログインしたアプリケーションプログラムに通知する。サーバ１２０は、逐次兌換情報を前記他の会員アカウントに入れて、前記他の会員がこれらの同種の商品を逐次で兌換する証拠とする。
【００４８】
また別の実施例において、使用者の会員アカウントと寄贈対象のユーザコードとが同一ではなく又は相応しなく、且つユーザコードが非会員の携帯電話の番号である場合、使用者が商品を非会員に寄贈することを表す。工程Ｓ２０２において、サーバ１２０が逐次兌換情報に基づいて消息発送プラットフォーム１２１（例えば、メッセージ発送プラットフォーム）を介して非会員の携帯電話の番号に通知し、非会員に消息発送プラットフォーム１２１の発した、兌換コード及び兌換可能な商品の品種及び数を含む報告を持たせる。非会員は、店舖へマルチメディア設備１１３に兌換コードを入力して兌換券を取得し、又は会員を登記して兌換コードを入力することで逐次兌換情報を入れることができる。
【００４９】
以上をまとめると、本発明の技術案は、先行技術に比べると、明らかなメリットや有益な効果を有する。本発明によれば、手で書く必要がなく、手間を取らず、従来の手書きによる制度の不明や管理上の不便利の問題を解決し、使用者が一回で大量に購入し、何回も何時でも/共に享受して贈ることができるようにする。なお、本発明の技術を便利店に適応すると、１つの店で購入すると、全ての店で取ることができるという最高なユーザ体験を達成させることができる。
【００５０】
本発明の実施形態を前述の通りに開示したが、これは、本発明を限定するものではなく、当業者であれば、本発明の精神と範囲から逸脱しない限り、多様の変更や修正を加えてもよく、したがって、本発明の保護範囲は、後の特許請求の範囲で指定した内容を基準とする。
【符号の説明】
【００５１】
下記の符号の詳細な説明は、本発明の上記又はその他の目的、特徴、利点及び実施例をより分りやすくするためのものである。
１００：システム
１１０：端末装置
１１１：ＰＯＳレジスタ
１１２：店舖ホスト
１１３：マルチメディア設備
１１５：モバイル装置
１２０：サーバ
１２１：消息発送プラットフォーム
１５０：支払システム
２００：方法
Ｓ２０１、Ｓ２０２：工程
【図１】
2019153209.tif 000003
【図２】
2019153209.tif 000004
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
複数の同種の商品の予約注文情報及び寄贈対象のユーザコードを受信し、支払作業が完成された後で、それに基づいて販売記録兌換請求を発生させ、サーバに送信する端末装置と、
前記端末装置から前記販売記録兌換請求を受信して、それに基づいて逐次兌換情報を生じ、前記寄贈対象が前記同種の商品を逐次で兌換する証拠とするサーバと、
を備え、
前記端末装置は、使用者が前記端末装置にログインするときに使用された会員アカウントと前記ユーザコードが同一でなく、前記ユーザコードが非会員の携帯電話の番号である場合、メッセージ発送プラットフォームを介して前記非会員の携帯電話の番号宛に兌換コード及び兌換可能な商品の品種及び数を通知し、
前記サーバは、前記端末装置から兌換コードを受信すると、前記兌換可能な数を減算する、予約注文のシステム。
【請求項２】
前記端末装置はＰＯＳレジスタ及び店舖ホストを含み、前記ＰＯＳレジスタが前記同種の商品の前記予約注文情報及び前記寄贈対象の前記ユーザコードの入力を受信して、前記支払作業を完成した後で、兌換券をプリントし、前記店舖ホストが前記兌換券に基づいて前記販売記録兌換請求を前記サーバに発送するようにする請求項１に記載のシステム。
【請求項３】
前記端末装置はＰＯＳレジスタ、店舖ホスト及びマルチメディア設備を含み、前記マルチメディア設備は、会員アカウントがログインされた後で、前記同種の商品の前記予約注文情報及び前記寄贈対象の前記ユーザコードの入力を受信して、納付書をプリントし、前記ＰＯＳレジスタが前記納付書を読み取って前記支払作業を完成した後で、前記店舖ホストが前記納付書に基づいて前記販売記録兌換請求を前記サーバに発送するようにし、前記サーバが前記逐次兌換情報に基づいてメッセージ発送プラットフォームを介して前記寄贈対象の前記ユーザコード宛に通知する請求項１に記載のシステム。
【請求項４】
前記端末装置はモバイル装置を含み、前記モバイル装置がアプリケーションプログラムを実行して会員アカウントをログインし、前記同種の商品の前記予約注文情報及び前記寄贈対象の前記ユーザコードの入力を受信して、支払システムによって前記支払作業を完成した後で、それに基づいて前記販売記録兌換請求を発生して前記サーバに発送する請求項１に記載のシステム。
【請求項５】
前記端末装置はＰＯＳレジスタ、店舖ホスト及びモバイル装置を含み、前記モバイル装置がアプリケーションプログラムを実行して会員アカウントをログインし、前記同種の商品の前記予約注文情報及び前記寄贈対象の前記ユーザコードの入力を受信して、納付コードを表示し、前記ＰＯＳレジスタが前記納付コードを読み取って前記支払作業を完成した後で、前記店舖ホストが前記兌換コードに基づいて前記販売記録兌換請求を前記サーバに発送するようにする請求項１に記載のシステム。
【請求項６】
端末装置によって複数の同種の商品の予約注文情報及び寄贈対象のユーザコードを受信し、支払作業が完成された後で、それに基づいて販売記録兌換請求を発生させ、サーバに送信する工程（Ａ）と、
サーバによって前記端末装置から前記販売記録兌換請求を受信して、それに基づいて逐次兌換情報を生じ、前記寄贈対象が前記同種の商品を逐次で兌換する証拠とする工程（Ｂ）と、
使用者が前記端末装置にログインするときに使用された会員アカウントと前記ユーザコードが同一でなく、前記ユーザコードが非会員の携帯電話の番号である場合、前記端末装置によって、メッセージ発送プラットフォームを介して前記非会員の携帯電話の番号宛に兌換コード及び兌換可能な商品の品種及び数を通知する工程と、
前記サーバによって、前記端末装置から兌換コードを受信すると、前記兌換可能な数を減算する工程と、
を備える予約注文の方法。
【請求項７】
前記端末装置はＰＯＳレジスタ及び店舖ホストを含み、工程（Ａ）は、前記ＰＯＳレジスタが前記同種の商品の前記予約注文情報及び前記寄贈対象の前記ユーザコードの入力を受信して、前記支払作業を完成した後で、兌換券をプリントし、前記店舖ホストが前記兌換券に基づいて前記販売記録兌換請求を前記サーバに発送するようにすることを含む請求項６に記載の方法。
【請求項８】
前記端末装置はＰＯＳレジスタ、店舖ホスト及びマルチメディア設備を含み、工程（Ａ）は、前記マルチメディア設備は、会員アカウントがログインされた後で、前記同種の商品の前記予約注文情報及び前記寄贈対象の前記ユーザコードの入力を受信して、納付書をプリントし、前記ＰＯＳレジスタが前記納付書を読み取って前記支払作業を完成した後で、前記店舖ホストが前記納付書に基づいて前記販売記録兌換請求を前記サーバに発送するようにすることを含み、工程（Ｂ）は、前記サーバが前記逐次兌換情報に基づいてメッセージ発送プラットフォームを介して前記寄贈対象の前記ユーザコード宛に通知することを含む請求項６に記載の方法。
【請求項９】
前記端末装置はモバイル装置を含み、工程（Ａ）は、前記モバイル装置がアプリケーションプログラムを実行して会員アカウントをログインし、前記同種の商品の前記予約注文情報及び前記寄贈対象の前記ユーザコードの入力を受信して、インターネットによって前記支払作業を完成した後で、それに基づいて前記販売記録兌換請求を発生して前記サーバに発送することを含む請求項６に記載の方法。
【請求項１０】
前記端末装置はＰＯＳレジスタ、店舖ホスト及びモバイル装置を含み、工程（Ａ）は、前記モバイル装置がアプリケーションプログラムを実行して会員アカウントをログインし、前記同種の商品の前記予約注文情報及び前記寄贈対象の前記ユーザコードの入力を受信して、納付コードを表示し、前記ＰＯＳレジスタが前記納付コードを読み取って前記支払作業を完成した後で、前記店舖ホストが前記納付コードに基づいて前記販売記録兌換請求を前記サーバに発送するようにする請求項６に記載の方法。